(57)【要約】【課題】清潔な衛生環境の中で入浴者が安心して岩盤浴を利用できるようにする。【解決手段】岩盤浴床２の上に所定の温度及び湿度による岩盤浴環境を形成する岩盤浴室３を設ける。岩盤浴室３は横たわる入浴者の全身を取り囲むように収容可能な浴室９を形成する薄厚樹脂製の浴室シート７により構成する。したがって浴室内部の高温多湿の岩盤浴環境が、浴室シート７で浴室９の外部の岩盤浴床２と隔離されるため、岩盤浴床２等に入浴者の汗や油が付着したり雑菌が繁殖したりするのを抑制できる。浴室シート７が薄厚樹脂製であり、容易に使い捨てられることから、入浴者ごとに未使用の新しい浴室シート７に交換可能であり、清潔な衛生環境の中で入浴者が安心して岩盤浴を行える。【選択図】図１
2008086474.tif 000002
【特許請求の範囲】
【請求項１】
岩盤浴床の上に所定の温度及び湿度による岩盤浴環境を形成する岩盤浴室であって、
横たわる入浴者の全身を取り囲むように収容可能な浴室を形成する薄厚樹脂製の浴室シートを備える岩盤浴室。
【請求項２】
浴室シートの外部に、浴室シートを吊り下げる支持フレームを備える請求項１記載の岩盤浴室。
【請求項３】
支持フレームに矩形状の岩盤浴床の四隅の上方位置で浴室シートを着脱する保持具を有する請求項２記載の岩盤浴室。
【請求項４】
浴室シートは、岩盤浴床よりも長い長尺筒状に形成されており、支持フレームに吊り下げた状態で浴室の上面、底面、対向する一対の側面を形成する筒状部と、支持フレームに吊り下げた状態で筒状部の両端開口を閉じる閉塞部を形成する余剰部と、を有する請求項２又は請求項３記載の岩盤浴室。
【請求項５】
浴室シートに吊り下げ位置を示す目印部を設ける請求項２〜請求項４何れか１項記載の岩盤浴室。
【請求項６】
浴室の長手方向の一端側に設ける目印部の色彩と他端側に設ける目印部の色彩とを異ならせてある請求項５記載の岩盤浴室。
【請求項７】
支持フレームに、浴室シートの一端側に設ける目印部の色彩と同色の目印部と、他端側に設ける目印部の色彩と同色の目印部と、を設ける請求項６記載の岩盤浴室。
【請求項８】
目印部がシールである請求項５〜請求項７何れか１項記載の岩盤浴室。
【請求項９】
保持具が、浴室シートを取付ける可動部材と、支持フレームに取付けられ浴室の幅方向に沿う可動部材の移動をガイドする固定部材と、を備えており、
可動部材と固定部材にはラックと係止爪によるラチェット機構を設け、可動部材を浴室空間の幅方向外向きに移動させると浴室シートが該幅方向外向きに引っ張られるとともにラックに対する係止爪の係止によって浴室シートの張りを維持するようになっている請求項３〜請求項８何れか１項記載の岩盤浴室。
【請求項１０】
保持具が、一端側を浴室シートに取付ける線状体と、支持フレームに設けられ浴室シートから伸長する該線状体を引っ掛けるガイド部材とを備えており、線状体を浴室の長手方向外向きに引っ張ると浴室シートが該長手方向外向きに引っ張られるようになっている請求項３〜請求項８何れか１項記載の岩盤浴室。
【請求項１１】
支持フレームが磁性体で形成されており、保持具が該支持フレームに対して浴室シートを挟んで固定する取付磁石である請求項３〜請求項８何れか１項記載の岩盤浴室。
【請求項１２】
浴室シートに外部から浴室の内部へ加湿空気を導入する給気口を設ける請求項１〜請求項１１何れか１項記載の岩盤浴室。
【請求項１３】
支持フレームが中空筒状であり、加湿空気を外部から導入する導入口と、浴室シートを貫通して浴室の内部に開口する給気口とを設ける請求項１〜請求項１２何れか１項記載の岩盤浴室。
【請求項１４】
浴室の側面を形成する浴室シートの外側に断熱板を備える請求項１〜請求項１３何れか１項記載の岩盤浴室。
【請求項１５】
ヒータを有する岩盤浴床と、請求項１〜請求項１４何れか１項記載の岩盤浴室とを備える岩盤浴装置。
【請求項１６】
岩盤浴室に連通接続するパイプを有し、加湿空気を浴室の内部に供給する加湿器を浴室の外部に備える請求項１５記載の岩盤浴装置。
【請求項１７】
岩盤浴室に連通接続するパイプを有し、酸素濃度の高い空気を浴室の内部に供給する酸素供給装置を浴室の外部に備える請求項１５又は請求項１６記載の岩盤浴装置。
【請求項１８】
岩盤浴室に連通接続するパイプを有し、芳香空気を浴室の内部に供給する芳香器を浴室の外部に備える請求項１５〜請求項１７何れか１項記載の岩盤浴装置。
【発明の詳細な説明】
【技術分野】
【０００１】
本発明は岩盤浴を行うための装置に関する。
【背景技術】
【０００２】
健康や美容に対する意識の高まりから、岩盤から放射される遠赤外線やマイナスイオンの効能により健康維持や疲労回復を図る岩盤浴が注目されている。岩盤浴には大別して２つのタイプがある。一つは大部屋方式で、部屋に複数の岩盤浴床を配置し、室内全体を例えば温度４０℃前後で湿度７０％以上の岩盤浴環境として行うタイプである（特許文献１）。他の一つはカプセル方式で、ベット状の岩盤浴床に対して開閉可能なドームのような覆いを設け、覆いで閉塞した内部空間を前述の岩盤浴環境として行うタイプである（特許文献２）。これらの何れの場合でも、岩盤浴床には下から加熱する温熱パイプや電熱ヒータなどの熱源が配置されていて、入浴者は岩盤浴床の上に敷いたタオルやシーツの上に寝転んで岩盤浴を行う。
【０００３】
以上のような岩盤浴では、入浴者の汗や油が岩盤浴床に付着し、また岩盤浴環境では雑菌が繁殖しやすいことから、清掃を頻繁に行って衛生管理を徹底する必要がある。そこでこれまでは、岩盤浴床及びその周辺をアルコール、石鹸、界面活性剤、塩素系消毒剤など各種の化学的消毒手段を使って清掃し衛生管理を行っているのが一般的である。
【特許文献１】実用新案登録第３１１７７６９号公報
【特許文献２】実用新案登録第３１０７６６７号公報
【発明の開示】
【発明が解決しようとする課題】
【０００４】
ところがそれらの化学的消毒手段には次のような課題がある。それは化学的消毒手段の性質に由来する課題で、アルコールによる消毒では消毒作業中に殺菌力が低下し易く、また石鹸や界面活性剤による消毒は一般細菌やカビには有効であるもののウィルスや芽胞には効力が小さい。もっとも有効なのは塩素系消毒剤であり一般細菌、カビ、ウィルス、芽胞に有効で脱臭作用もある。しかしながら人体の皮膚に対して刺激性があるものもあるため安易には使用できないというジレンマがある。またそれらの課題を一挙に解決できる優れた化学的消毒手段が存在するとしても、岩盤浴床やその周辺について細部に亘って略完全に清掃作業を行うのは難しい。
【０００５】
以上のような従来技術を背景になされたのが本発明である。すなわち本発明の目的は、清潔な衛生環境の中で入浴者が安心して岩盤浴を利用できるようにすることにある。
【課題を解決するための手段】
【０００６】
上記目的を達成すべく本発明は以下の岩盤浴室と岩盤浴装置にて構成される。
【０００７】
即ち本発明は、岩盤浴床の上に所定の温度及び湿度による岩盤浴環境を形成する岩盤浴室であって、横たわる入浴者の全身を取り囲むように収容可能な浴室を形成する薄厚樹脂製の浴室シートを備えるものとして構成される。
【０００８】
前記岩盤浴室は、浴室シートの外部に、浴室シートを吊り下げる支持フレームを備えるものとして構成される。また支持フレームには、矩形状の岩盤浴床の四隅の上方位置で浴室シートを着脱する保持具を有するものとして構成される。さらに浴室シートが、岩盤浴床よりも長い長尺筒状に形成されており、支持フレームに吊り下げた状態で浴室の上面、底面、対向する一対の側面を形成する筒状部と、支持フレームに吊り下げた状態で筒状部の両端開口を閉じる閉塞部を形成する余剰部と、を有するものとして構成される。
【０００９】
前記岩盤浴室は、浴室シートに吊り下げ位置を示す目印部を設けるものとして構成できる。また、浴室の長手方向の一端側に設ける目印部の色彩と他端側に設ける目印部の色彩とを異ならせるものとして構成できる。さらに支持フレームには、浴室シートの一端側に設ける目印部の色彩と同色の目印部と、他端側に設ける目印部の色彩と同色の目印部と、を設けるものとして構成できる。そして目印部はシールとして構成できる。
【００１０】
前記岩盤浴室は、保持具が、浴室シートを取付ける可動部材と、支持フレームに取付けられ浴室の幅方向に沿う可動部材の移動をガイドする固定部材と、を備えており、可動部材と固定部材にはラックと係止爪によるラチェット機構を設け、可動部材を浴室空間の幅方向外向きに移動させると浴室シートが該幅方向外向きに引っ張られるとともにラックに対する係止爪の係止によって浴室シートの張りを維持するようになっているものとして構成できる。
【００１１】
前記岩盤浴室は、保持具が、一端側を浴室シートに取付ける線状体と、支持フレームに設けられ浴室シートから伸長する該線状体を引っ掛けるガイド部材とを備えており、線状体を浴室の長手方向外向きに引っ張ると浴室シートが該長手方向外向きに引っ張られるようになっているものとして構成できる。
【００１２】
前記岩盤浴室は、支持フレームが磁性体で形成されており、保持具が該支持フレームに対して浴室シートを挟んで固定する取付磁石であるものとして構成できる。
【００１３】
前記岩盤浴室は、浴室シートに外部から浴室の内部へ加湿空気を導入する給気口を設けるものとして構成できる。また、支持フレームが中空筒状であり、加湿空気を外部から導入する導入口と、浴室シートを貫通して浴室の内部に開口する給気口とを設けるものとして構成できる。
【００１４】
前記岩盤浴室は、浴室の側面を形成する浴室シートの外側に断熱板を備えるものとして構成できる。
【００１５】
また前記課題を解決すべく本発明は、ヒータを有する岩盤浴床と、前記何れかの本発明による岩盤浴室とを備える岩盤浴装置として構成される。
【００１６】
前記岩盤浴装置は、岩盤浴室に連通接続するパイプを有し、加湿空気を浴室の内部に供給する加湿器を浴室の外部に備えるものとして構成される。また、岩盤浴室に連通接続するパイプを有し、酸素濃度の高い空気を浴室の内部に供給する酸素供給装置を浴室の外部に備えるものとして構成される。さらに、岩盤浴室に連通接続するパイプを有し、芳香空気を浴室の内部に供給する芳香器を浴室の外部に備えるものとして構成される。
【発明の効果】
【００１７】
本発明の岩盤浴室は、薄厚樹脂製の浴室シートによって入浴者の全身を取り囲むように収容するための浴室を形成し、これによって岩盤浴床の上に岩盤浴環境を形成する。したがって浴室の内部に形成される高温多湿の岩盤浴環境が、浴室シートによって浴室の外部の岩盤浴床やその周辺に対して隔離されることから、岩盤浴床等に入浴者の汗や油が付着したり雑菌が繁殖したりするのを抑制することができる。そして、浴室シートが薄厚樹脂製であり、容易に使い捨てることができることから、入浴者ごとに未使用の新しい浴室シートに取り替えることができるようになり、清潔な衛生環境の中で入浴者が安心して岩盤浴を行うことができる。
【発明を実施するための最良の形態】
【００１８】
以下、本発明の岩盤浴室及び岩盤浴装置の実施形態の例について図面を参照しつつ説明する。
【００１９】
第１実施形態〔図１〜図５〕
岩盤浴室及び岩盤浴装置の構成
図１に岩盤浴装置の全体図を示す。岩盤浴装置１は岩盤浴床２と、岩盤浴床２に設ける岩盤浴室３を備えている。このうち岩盤浴床２は、岩盤４、矩形環状で岩盤４を保持する岩盤フレーム５、岩盤４及び岩盤フレーム５の土台となる浴床ベース６とを備えている。岩盤４の裏面側には図示せぬ電熱ヒータを取付けてあり、この電熱ヒータによって岩盤４が加熱されることで、岩盤４の表面側へ温熱が伝達される。
【００２０】
岩盤浴室３は、浴室シート７と、浴室シート７を吊り下げる支持フレーム８とを備えている。浴室シート７は、例えば０．３ｍｍ厚程度の薄い筒状で透明の樹脂シートによって形成されている。この浴室シート７は、支持フレーム８に吊り下げると、図１で示すように実質的に直方体形状となって浴室９を形成するが、吊り下げる前は実質的に平面形状となる。この状態を図２に示す。浴室シート７は岩盤浴床２の長手方向及び幅方向のいずれについても外方にはみ出す大きさで形成されている。図２の７ａは筒状部であり、この部分は浴室シート７を支持フレーム８に吊り下げた状態で、図１で示す浴室９の上面９ａ、長手方向に沿う左右両側面９ｂ、および底面９ｃを形成することになる。そして岩盤浴床２の長手方向両端部からはみ出す余剰部７ｂは、吊り下げ状態で、筒状部７ａの両端開口、つまり浴室９の長手方向両端部を閉じる閉塞部９ｄを形成することになる。この閉塞部９ｄは、余剰部７ｂを支持フレーム８から垂れ下げた状態となっていることから、そこを開けたり閉めたりすることで浴室９への出入り口として機能する。
【００２１】
また浴室シート７には、支持フレーム８への吊り下げ箇所となる位置に「目印部」としてのシール１０が貼着されている。シール１０にはピン状クリップ１１（図３，６参照）の挿通位置とする２つの小孔が貫通形成されている。ここで便宜的に図１で示す浴室９の長手方向手前側を「前」、長手方向奥側を「後」とすると、前側に貼り付けた２つのシール１０と、後側に貼り付けた２つのシール１０とでは色彩が異なっている。これは浴室シート７の前後を判別するためのものである。そして支持フレーム８にも前後の各シール１０に対応する色彩のシールが貼着されている（図示省）。
【００２２】
支持フレーム８は、浴室シート７の外部に設けてあり、岩盤浴床２の四隅に立設する円筒状の支柱１２と、支柱１２どうしの間に掛け渡す連結部材１３によって構成されている。支柱１２の下端は岩盤浴床２の岩盤フレーム５に対して固定してあり、連結部材１３は支柱１２に対して所定の高さ位置で固定してある。
【００２３】
前後の２つの連結部材１３のうち後側の連結部材１３には、浴室シート７の保持具１４が取付けられている。この保持具１４は図３及び図４で示すように、連結部材１３に固定する「固定部材」としてのラックレール１５と、ラックレール１５に沿って移動可能な「可動部材」としての可動操作部１６とを備えている。可動操作部１６の内部にはラックレール１５と協働してラチェットとして機能する係止爪１６ａが設けられている。すなわち左右に設けた各可動操作部１６は、連結部材１３の長手中心に対して離間する方向では自在に移動できるが、連結部材１３の長手中心に対して接近する方向では係止爪１６ａがラックレール１６に対して係止し、自由な移動が規制される。この規制を解除するには、係止爪１６ａと連動して係止を解除する操作レバー（図示略）を利用する。このようにラチェット動作可能な可動操作部１６にはピン状クリップ１１の取付部１６ｂを設けてあり、このピン状クリップ１１を介して可動操作部１６に浴室シート７が固定されることになる。ピン状クリップ１１は、所謂安全ピンと同様の構造のものであり、浴室シート７に対する取付け、取り外しを容易に行えるようになっている。なおこのピン状クリップ１１と保持具１４は本発明の「保持具」を構成する。
【００２４】
前側の連結部材１３の底面には滑車１７が取付けられている。この滑車１７の機能は、一端にピン状クリップ１１を取付け、他端に金具１８を取付けた張設ワイヤ１９を、その取付位置でガイドすることにある（図５）。張設ワイヤ１９のピン状クリップ１１は、浴室シート７の前側に貼着したシール１０の小孔に挿通されており、これによって浴室シート７を保持している。なおピン状クリップ１１と金具１８を有する張設ワイヤ１９及び滑車１７は本発明の「保持具」を構成する。
【００２５】
以上のような岩盤浴装置１には、浴室９に連通接続するパイプＰによって加湿空気を供給する加湿器２０と、同様のパイプＰによって酸素濃度の高い空気を供給する酸素供給装置２１と、同様のパイプＰによって芳香空気を供給する芳香器２２が、さらに備わっている。それらのパイプＰは浴室シート７の側面に貫通形成した給気口７ｃに取付けられる。
【００２６】
岩盤浴装置１の使用方法
次に、岩盤浴装置１の使用方法を説明する。
岩盤浴床２には予め支持フレーム８が取付けてあり、先ずこれに浴室シート７を取付ける。具体的にはピン状クリップ１１を、浴室シート７の長手方向後側のシール１０の小孔と可動操作部１６の取付孔に挿通して、浴室シート７を保持具１４に取付ける。そして左右の保持具１４の可動操作部１６を連結部材１３の長手方向外向きに移動させて、浴室シート７を幅方向で弛みが無いように張り付ける（図３）。
【００２７】
次いで、浴室シート７の長手方向前側のシール１０に張設ワイヤ１９の一端に取付けたピン状クリップ１１を取付ける。そして張設ワイヤ１９を浴室シート７の長手方向に沿って引っ張る。すると張設ワイヤ１９は連結部材１３の所定位置に取付けた滑車１７により移動がガイドされ、これによって浴室シート７がその長手方向で弛みが無いように張り付けられる（図５）。張設ワイヤ１９には金具１８が取付けてあり、これが錘として機能することで、弛みの無い張り付け状態が維持される。以上によって浴室９の上側四隅が固定され、且つ上面９ａが全面的に弛みなく張られることになる。
【００２８】
そして今度は浴室９の底面９ｃの四隅を位置決めするが、この際には浴室シート７における下側四隅に対応する部分と支柱１２とをシール１０を貼り付けたり、支柱１２が金属製ならば取付磁石で浴室シート７を挟んだりして固定する。最後に浴室シート７の余剰部７ｂを折り畳んだりして纏めることで閉塞部９ｄを形成する。なお２つの閉塞部９ｄの内の一方、例えば前側の閉塞部９ｄは入浴者の出入り口となる。以上によって略直方体形状の浴室９を形成することができる。
【００２９】
この後は浴室９の底面９ｃを形成する浴室シート７の上にタオルやシーツを敷く。また浴室９の側面を形成する浴室シート７の下側部分に給気口７ｃを穿孔して形成し、加湿器２０、酸素供給装置２１、芳香器２２のパイプＰの開口端を取付ける。この取付けには例えばテープなどを使用することができる。また排気口を設ける必要もあるが、これは例えば浴室シート７を部分的に穿孔したり、出入り口として機能させない閉塞部９ｄを完全に密閉せずに排気口となる隙間を確保したりすることで設けるようにする。以上の準備が出来たら岩盤浴装置１による岩盤浴を行うことができる。
【００３０】
なお、入浴者が代わって次の入浴者のために浴室シート７を取り替える際には、使用済みの浴室シート７を支持フレーム８から取り外し、以上と同様の要領で新しい浴室シート７を取付けるようにすればよい。
【００３１】
岩盤浴室３及び岩盤浴装置１の作用・効果
概略以上のような構成の岩盤浴室３と岩盤浴装置１によれば、以下のような作用・効果を発揮することができる。
【００３２】
岩盤浴室３は、岩盤浴床２の上に所定の温度及び湿度による岩盤浴環境を形成するものであり、横たわる入浴者の全身を取り囲むように収容可能な浴室９を形成する薄厚樹脂製の浴室シート７によって形成される。このため、浴室シート７の浴室９に形成される高温多湿の岩盤浴環境が、浴室シート７によって岩盤浴床２やその周辺に対して隔離されることから、岩盤浴床２等に入浴者の汗や油が付着したり雑菌が繁殖するような衛生上の不都合を防ぐことができる。そして、浴室シート７が薄厚樹脂製であり、容易に使い捨てることができることから、入浴者ごとに未使用の新品の浴室シート７に取り替えることができるようになり、清潔な衛生環境の中で入浴者が安心して岩盤浴を行うことができる。またヒータを有する岩盤浴床２と、そのような岩盤浴室３とを備える岩盤浴装置１も同様の作用・効果を発揮することができる。
【００３３】
岩盤浴室３は、浴室シート７の外部に、浴室シート７（浴室９）の上面９ａを吊り下げる支持フレーム８を備えている。したがって支持フレーム８が岩盤浴環境に曝されることなく入浴者の汗や油が付着したり雑菌が繁殖するような衛生上の不都合を防ぐことができるから、構造部材の支持フレーム８については何度でも再利用することができる。
【００３４】
岩盤浴室３は、支持フレーム８に矩形状の岩盤浴床２の四隅の上方位置で浴室シート７を着脱可能なピン状クリップ１１と保持具１４を備える。したがって浴室シート７を容易に着脱できるので浴室シート７の交換を作業性良く行うことができる。
【００３５】
岩盤浴室３は、浴室シート７は、岩盤浴床２よりも長い長尺筒状に形成されており、支持フレーム８に吊り下げた状態で浴室９の上面９ａ、底面９ｃ、左右の側面９ｂを形成する筒状部７ａと、支持フレーム８に吊り下げた状態で筒状部７ａの両端開口を閉じて浴室９の閉塞部９ｄを形成する余剰部７ｂと、を有する。したがって他の部材を用いることなく浴室シート７だけで浴室９を形成することができる。
【００３６】
岩盤浴室３は、浴室シート７に吊り下げ位置を示す「目印部」としてのシール１０を貼着してある。このため浴室シート７を支持フレーム８に吊り下げる際の位置決めを誰でも容易に行うことができる。そのシール１０については、浴室９の長手方向の一端側に設けるシール１０の色彩と、他端側に設けるシール１０の色彩とを異ならせてある。そして支持フレーム８には、その一端側に設けるシール１０の色彩と同色のシールと、他端側に設けるシール１０の色彩と同色のシールと、を設けてある。このため支持フレーム８に浴室シート７を正しく取付けることができる。
【００３７】
保持具１４は、浴室シート７を取付ける可動操作部１６と、支持フレーム８に取付けられて可動操作部１６の浴室９の幅方向（連結部材１３の長手方向）への移動をガイドするラックレール１５と、を備えており、可動操作部１６とラックレール１５にはラックと係止爪１６ａによるラチェット機構を設けてある。そして、可動操作部１６を浴室９の幅方向外向きに移動させると、浴室シート７が該幅方向外向きに引っ張られるとともにラックに対する係止爪１６ａの係止によって浴室シート７の張りを維持するようになっている。このため腰の弱い浴室シート７を幅方向で綺麗に張った状態で位置決めして取付けることができる。
【００３８】
岩盤浴室３は、一端側を浴室シート７に取付ける張設ワイヤ１９と、張設ワイヤ１９を引っ掛ける滑車１７とを備えている。このため張設ワイヤ１９を浴室９の長手方向外向きに引っ張ると浴室シート７が該長手方向外向きに引っ張られるようになる。このため腰の弱い浴室シート７を幅方向で綺麗に張った状態で位置決めして取付けることができる。
【００３９】
岩盤浴装置１には、岩盤浴室３に連通接続するパイプＰを有し、加湿空気を浴室９の内部に供給する加湿器２０を浴室９の外部に備えている。このため岩盤浴室３ごとに湿度環境を調整することができる。また加湿器２０に入浴者の汗や油が付着したり雑菌が繁殖するような衛生上の不都合を防ぐことができる。
【００４０】
岩盤浴装置１には、岩盤浴室３に連通接続するパイプＰを有し、酸素濃度の高い空気を浴室９に供給する酸素供給装置２１を浴室９の外部に備える。このため岩盤浴による効用だけでなく、高濃度酸素によるリラクゼーション効果も同時に得られることから付加価値の高い岩盤浴を実現できる。また酸素供給装置２１に入浴者の汗や油が付着したり雑菌が繁殖するような衛生上の不都合を防ぐことができる。
【００４１】
岩盤浴装置１には、岩盤浴室３に連通接続するパイプＰを有し、芳香空気を浴室９に供給する芳香器２２を浴室９の外部に備える。このため心地よい香りによるリラクゼーション効果も同時に得られることから付加価値の高い岩盤浴を実現できる。また芳香器２２に入浴者の汗や油が付着したり雑菌が繁殖するような衛生上の不都合を防ぐことができる。
【００４２】
変形例
以上の岩盤浴装置１と岩盤浴室３は例えば以下のように変形して実施することができるのでその幾つかを列挙する。
前記実施形態では本発明の「目印部」としてシール１０を使用するが、シール１０ではなく浴室シート７にインキで印刷した印刷部としてもよい。また浴室シート７に目印となる文字や図形などの立体形状を成形により形成した成形面部としてもよい。
前記実施形態ではピン状クリップ１１をシール１０の小孔から浴室シート７を貫通させるようにして取付けているが、シール１０に浴室シート７に貼り付けない部分を設けるようにして浴室シート７を貫通させずに取付けるようにしてもよい。
前記実施形態では張設ワイヤ１９に設けた金具１８を浴室シート７を張るための錘として利用しているが、錘となるような重量物ではなく、支柱１２や岩盤浴装置１を設置する床面や浴床ベース６に対して固定する樹脂、金属などによる固定片としてもよい。
前記実施形態については浴室９の側面を形成する浴室シート７の外側に断熱板を設けるようにしてもよい（第２実施形態参照）。
【００４３】
第２実施形態〔図６，図７〕
第２実施形態の岩盤浴装置２３が第１実施形態の岩盤浴装置１と異なるのは、以下の２点であり、残余の構成及びその作用・効果については同じである。なお図６には明示しないが、第１実施形態の岩盤浴装置１に備える加湿器２０、酸素供給装置２１、芳香器２２も備えている。
【００４４】
第１の相違点は、支持フレーム８として支柱２４を備えており、各支柱２４が磁性体を素材として形成されており、浴室シート７を取付磁石２５で挟んで固定する点である（図７）。その取付磁石２５は本発明の「保持具」を構成する。したがって第２実施形態によれば、岩盤浴装置２３の全体構成をよりシンプルに実現できる利点がある。
【００４５】
第２の相違点は、支柱２４に断面コ字状の溝形取付枠２６を設けて、そこに断熱板２７を差し込んで取付けてある点である。これによれば大きな面積の浴室９の側面を覆うことができるので、浴室９の内部の熱が外部へ逃げるのを防ぐことができる利点がある。
【００４６】
各実施形態に共通する変形例
前記各実施形態では浴室シート７として長尺筒状のものを例示したが、予め筒状とされていない薄厚の樹脂シートを浴室シートとして利用することも可能である。この場合には、浴室シートの長手方向に沿う両端部を重ねて、テープやクリップなどを使って止めれば使用することができる。また、第２実施形態で使用する取付磁石２５によって重ね合わせた両端部を支柱２４との間で挟んで固定するようにしてもよい。
【００４７】
前記各実施形態では浴室シート７に給気口７ｃを適宜穿孔して設け、そこに加湿器２０、酸素供給装置２１、芳香器２２のパイプＰを繋ぐようにしているが、次のようにしてもよい。ここでは第２実施形態への適用例を説明すると、例えば図８で示すように、支柱２４にパイプＰの導入口２４ａを設けるとともに、その延長上にパイプＰの開口端からの吹き出し口となる中空円筒状の内環突起２４ｂを設ける。内環突起２４ｂの外側には内周にねじ部を有する外環突起２４ｃを設ける。そして外周面に外環突起２４ｃのねじ部と螺合するねじ部を設けた円環状の留め具２４ｄを、浴室シート７の内側から浴室シート７を挟みながら螺合させていく。すると浴室シート７が穿孔されて、内環突起２４ｂの先端開口を「給気口」として、パイプＰからの加湿空気、酸素濃度の高い空気、芳香空気を供給することができる。
【図面の簡単な説明】
【００４８】
【図１】第１実施形態の岩盤浴装置の外観斜視図。
【図２】図１の浴室シートの外観斜視図で、分図（Ａ）は浴室形成前の状態を示す図、分図（Ｂ）は浴室形成後の状態を示す図。
【図３】図１の保持具の外観を示す説明図。
【図４】図３の保持具のラチェット機構を模式的に示す説明図。
【図５】図１の張設ワイヤ及び滑車の動作を模式的に示す説明図。
【図６】第２実施形態の岩盤浴装置の外観斜視図。
【図７】図６の浴室シートの取付状態を示す説明図。
【図８】第１及び第２実施形態の変形例を示す説明図。
【符号の説明】
【００４９】
１    岩盤浴装置（第１実施形態）
２    岩盤浴床
３    岩盤浴室
４    岩盤
５    岩盤フレーム
６    浴床ベース
７    浴室シート
７ａ  筒状部
７ｂ  余剰部
７ｃ  給気口
８    支持フレーム
９    浴室
９ａ  上面
９ｂ  側面
９ｃ  底面
９ｄ  閉塞部
１０    シール（目印部）
１１    ピン状クリップ（保持具）
１２    支柱（支持フレーム）
１３    連結部材（支持フレーム）
１４    保持具（保持具）
１５    ラックレール
１６    可動操作部
１６ａ  係止爪
１７    滑車（保持具）
１８    金具
１９    張設ワイヤ（保持具）
２０    加湿器
２１    酸素供給装置
２２    芳香器
２３    岩盤浴装置（第２実施形態）
２４    支柱（支持フレーム）
２４ａ  導入口
２４ｂ  内環突起
２４ｃ  外環突起
２４ｄ  留め具
２５    取付磁石
２６    溝形取付枠
２７    断熱板
【図１】
2008086474.tif 000003
【図２】
2008086474.tif 000004
【図３】
2008086474.tif 000005
【図４】
2008086474.tif 000006
【図５】
2008086474.tif 000007
【図６】
2008086474.tif 000008
【図７】
2008086474.tif 000009
【図８】
2008086474.tif 000010